(57)【要約】【課題】  生餌を釣り場まで死なせることなく移送することができるクーラーセットを提供する。【解決手段】底面近傍に水を蓄える断熱性箱状のボックス本体と、平面視で前記ボックス本体の略中央部に、正面視で底面から前記ボックス本体の高さの約１／４〜１／２のいずれかの位置まで離隔させて、前記位置より上部の前記ボックス本体内を、酸素供給室と餌取出し室とに二分するように垂直方向に配設した仕切板と、前記酸素供給室の上部に水平方向に設けられ、前記酸素供給室を密閉する密閉板と、前記密閉板の上に設けられ、前記酸素供給室に供給された酸素を前記ボックス本体底面近傍に蓄えられる水の中に供給する空気ポンプと、前記餌取出し室内における前記仕切板の下端部近傍に水平方向に設けられ上下方向で開閉可能な板状の波消し浮動板と、を含む構成要素とする生餌用クーラーセットを実現させたことにより課題解決できた。【選択図】  図１
2013081427.tif 000002
【特許請求の範囲】
【請求項１】
魚釣り用の生餌を移送するためのクーラーセットであって、底面近傍に水を蓄える断熱性箱状のボックス本体と、平面視で前記ボックス本体の略中央部に、正面視で底面から前記ボックス本体の高さの約１／４〜１／２のいずれかの位置まで離隔させて、前記位置より上部の前記ボックス本体内を、酸素供給室と餌取出し室とに二分するように垂直方向に配設した仕切板と、前記酸素供給室の上部に水平方向に設けられ、前記酸素供給室を密閉する密閉板と、前記密閉板の上に設けられ、前記酸素供給室に供給された酸素を前記ボックス本体底面近傍に蓄えられる水の中に供給する空気ポンプと、前記餌取出し室内における前記仕切板の下端部近傍に水平方向に設けられ上下方向で開閉可能な板状の波消し浮動板と、を含む構成要素からなることを特徴とする生餌用クーラーセット。
【請求項２】
一端が前記空気ポンプに連結され、他端が前記酸素供給室内に延設された短尺状の第一チューブと、一端が前記空気ポンプに連結され、他端が平面視で前記酸素供給室側の前記ボックス本体底面近傍まで延設された長尺状の第二チューブと、前記第二チューブの前記ボックス本体底面近傍まで延設された端部に接続され、平面視で前記酸素供給室側の前記ボックス本体底面上に載置されたエアストーンと、前記仕切板の下方であって前記エアストーンの上部に、かつ正面視で前記酸素供給室側を高く前記餌取出し室側を低く斜めに配設された、格子状のメッシュ及び／又は直径１〜５ｍｍの孔を複数設けた板状の泡誘導板と、を備えることを特徴とする請求項１に記載の生餌用クーラーセット。
【請求項３】
前記密閉板に穿孔し螺刻した餌入れ用の開口部に螺設する餌入れキャップに設けた、又は前記密閉板上に設けた、酸素注入口と、前記酸素供給室に供給された酸素の逆流を防止するために前記酸素注入口に連通した流路に配設した逆流防止弁と、前記酸素供給室が前記酸素の供給過多によって高圧になった際に、前記酸素を自動的に排出する圧力抜き弁と、を配設することを特徴とする請求項１または２に記載の生餌用クーラーセット。
【請求項４】
前記逆流防止弁が、酸素注入口側に配設されたボールと酸素流出側に配設されたバネとを含む構成からなる場合に、前記ボールに接する、酸素缶からの酸素チューブの先端部の形態を、前記先端部の先端から酸素缶側に向けて少なくとも１つ以上の長穴部を設け、かつ前記先端部近傍に前記酸素チューブの外周壁面又は内周壁面に環状のリングを周設したことを特徴とする請求項１乃至３のいずれかに記載の生餌用クーラーセット。
【請求項５】
上蓋を含むボックス本体に断熱材を使用し、かつボックス本体内に保冷剤７１を内設したことを特徴とする請求項１乃至４のいずれかに記載の生餌用クーラーセット。
【発明の詳細な説明】
【技術分野】
【０００１】
本発明は、魚釣り用の生の餌を、生きた状態を維持しながら移送するための生餌用のクーラーセットに関するものである。
【背景技術】
【０００２】
従来から、藻エビなどの生餌を移送するには、水を張ったケースにその生餌を入れ、空気ポンプで外気を循環させる手段が採られている。
【０００３】
例えば、特許文献１には、自動販売機内に収納された個々の容器に生餌を入れ、保湿剤と酸素を封入し密封させ、自動販売機内に展示する装置が開示されている。
【０００４】
また、特許文献２には、携帯型の生餌ケースに酸素ボンベを併設し、空気ポンプを使用せず直接酸素ボンベからの圧力で水中へ酸素を供給する装置が開示されている。
【０００５】
また、特許文献３には、鮮度保持箱内の上部にカバーを設け、電源供給用乾電池、エアー供給ポンプなどを制御ボタンと共に各々の凹室に内蔵し取付けたものが開示されている。
【先行技術文献】
【特許文献】
【０００６】
【特許文献１】特開２００４−３５７６０５号公報
【特許文献２】実用新案登録第３１０２２１７号公報
【特許文献３】実用新案登録第３１４００７５号公報
【発明の概要】
【発明が解決しようとする課題】
【０００７】
しかし、上記従来技術では、釣り場に移動中に、生餌が水中の酸素濃度の低下や温度上昇等によって死んでしまうといった問題があった。
【０００８】
例えば、特許文献１に記載の技術は、生餌を自動販売機内で長時間生かすことを主な目的としているため、自動販売機内での保存時間が長くなると自動販売機から取り出したときからの残時間が短くなり釣り人からみれば生餌を長時間生かすことができないとい問題があり、また釣り人が自動販売機から釣り場まで移動する時間が長ければ弱ってしまうという問題があった。また、複数の小さい生餌容器で構成されているために持ち帰る場合に嵩張ってしまうという問題や、持ち帰らない場合には釣り場にゴミとして廃棄されるという問題があった。
【０００９】
また、特許文献２に記載の技術は、酸素ボンベから水槽内の水中へ、酸素ボンベ内の圧力を利用して直接に噴出させているため酸素過多になりやすい。あるいは酸素ボンベからの供給間隔が長くなり過ぎると酸素不足となり易い。また、生餌の種類によっては酸素濃度を変更する必要があるなどの問題があった。
【００１０】
また、生餌を取り出すときに携帯型生け簀箱の蓋を開けるが、そのときに水槽のすべての水面が開放空間に接するため、携帯型生け簀箱の空中の酸素濃度が生餌を取り出すごとに薄まるという問題があった。
【００１１】
さらに、酸素ボンベから直接水槽内に酸素ガスを噴出させるだけなので、噴出された酸素の泡は噴出口からすぐに垂直方向に向かって上昇し、水槽全域に酸素の泡が行き渡りにくいという問題があった。さらに、酸素ボンベを常に水槽部と一体的に携帯しなければならないので、酸素ボンベ付の多機能魚箱が重たく持ち歩きにくいという問題があった。
【００１２】
特許文献３に記載の技術は、鮮度保持箱内に長穴部を設けて電池、空気ポンプ、制御ボタンを取付け、その長穴部の上蓋を取付ネジによって固定して気密性を維持している。従って、釣り場で電池切れなどが発生することを踏まえて、上蓋を取り外すための工具（ドライバーなど）を用意する必要がある。また、空気ポンプを設置している凹室は気密構造であり防水構造なので、空気ポンプが故障した場合も上蓋を取り外すための工具を用意する必要があり、使用性が悪いという問題があった。
【００１３】
また、酸素ボンベ又は酸素缶の記載がみられないので、酸素の濃度の低い空気の供給であるので、生餌が長時間生きにくいという問題があった。
【００１４】
さらに、空気の供給を行うエア供給ポンプセットについては、特許文献３の段落［００１３］にエア供給ポンプセットは、モータ、エアバルブ及び管路からなる構成であると記載があり、この構成では空気の泡は管の先端部から真っ直ぐ上方に向けていくので、空気の泡を水槽内に万遍なく行き渡らせることが困難であるという問題があった。
【００１５】
さらに、特許文献２や特許文献３の技術には、温度についての記載が見当たらない。水槽内の水温が２０℃超になると生餌は、死んだり又は弱ってしまうという問題があった。
【００１６】
本発明はこうした問題に鑑み創案されたもので、生餌を取り出すごとに蓋を開放しても適度な酸素濃度を水槽内で長時間維持しやすく、酸素の泡を水槽内全域に行き渡らせやすく、水の温度を上昇し過ぎないようにでき、生餌を釣り場まで長時間生きたままの新鮮な状態で移送することができ、かつ、使用性に優れる生餌用のクーラーセットを提供することを課題とする。
【課題を解決するための手段】
【００１７】
請求項１に記載の生餌用クーラーセット１は、魚釣り用の生餌を移送するためのクーラーセットであって、底面近傍に水を蓄える断熱性箱状のボックス本体１０と、平面視で前記ボックス本体１０の略中央部に、正面視で底面から前記ボックス本体１０の高さの約１／４〜１／２のいずれかの位置まで離隔させて、前記位置より上部の前記ボックス本体１０内を、酸素供給室１１と餌取出し室１２とに二分するように垂直方向に配設した仕切板２０と、前記酸素供給室１１の上部に水平方向に設けられ、前記酸素供給室１１を密閉する密閉板３０と、前記密閉板３０の上に設けられ、前記酸素供給室１１に供給された酸素を前記ボックス本体１０底面近傍に蓄えられる水の中に供給する空気ポンプ５０と、前記餌取出し室１２内における前記仕切板２０の下端部近傍に水平方向に設けられ上下方向で開閉可能な板状の波消し浮動板６０と、を含む構成要素からなることを特徴とする。なお、酸素供給室１１への酸素の供給には、酸素缶４０を用いることができる。
【００１８】
請求項２に記載の生餌用クーラーセット１は、請求項１において、一端が前記空気ポンプ５０に連結され、他端が前記酸素供給室１１内に延設された短尺状の第一チューブ５１と、一端が前記空気ポンプ５０に連結され、他端が平面視で前記酸素供給室１１側の前記ボックス本体１０底面近傍まで延設された長尺状の第二チューブ５２と、前記第二チューブ５２の前記ボックス本体１０底面近傍まで延設された端部に接続され、平面視で前記酸素供給室１１側の前記ボックス本体１０底面上に載置されたエアストーン５３と、前記仕切板２０の下方であって前記エアストーン５３の上部に、かつ正面視で前記酸素供給室１１側を高く前記餌取出し室１２側を低く斜めに配設された、格子状のメッシュ及び／又は直径１〜５ｍｍの孔を複数設けた板状の泡誘導板５４と、を備えることを特徴とする。
【００１９】
請求項３に記載の生餌用クーラーセット１は、請求項１または２において、前記密閉板３０に穿孔し螺刻した餌入れ用の開口部に螺設する餌入れキャップ３１に設けた、又は前記密閉板３０上に設けた、酸素注入口３４と、前記酸素供給室１１に供給された酸素の逆流を防止するために前記酸素注入口３４に連通した流路に配設した逆流防止弁３２と、前記酸素供給室１１が前記酸素の供給過多によって高圧になった際に、前記酸素を自動的に排出する圧力抜き弁３３と、を配設することを特徴とする。
【００２０】
請求項４に記載の生餌用クーラーセット１は、請求項１乃至３のいずれかにおいて、前記逆流防止弁３２が、酸素注入口３４側に配設されたボール３２ａと酸素流出側に配設されたバネ３２ｂとを含む構成からなる場合に、前記ボール３２ａに接する、酸素缶４０からの酸素チューブ４１の先端部の形態を、前記先端部の先端から酸素缶側に向けて少なくとも１つ以上の長穴部４１ａを設け、かつ前記先端部近傍に前記酸素チューブ４１の外周壁面又は内周壁面に環状のリング４２を周設したことを特徴とする。
【００２１】
請求項５に記載の生餌用クーラーセット１は、請求項１乃至４のいずれかにおいて、上蓋１６を含むボックス本体１０に断熱材を使用し、かつボックス本体１０内に保冷剤７１を内設したことを特徴とする。
【発明の効果】
【００２２】
請求項１に記載の生餌用クーラーセット１は、底面側の開放部を除いて上側のクーラー内の空間を酸素供給室１１と餌取出し室１２とに二分させたので、餌を取り出すときに上蓋１６を開放してもクーラー外の大気に接する部分がクーラーの略半分の領域に留まるので、生餌用クーラーセット１内の酸素が放出されにくいという効果を奏する。
【００２３】
また、前記餌取出し室１２側の上蓋１６を開放したときにおいて、酸素供給室１１側の空間は、酸素供給室１１側の上蓋１６は閉じられたままでありかつ密閉板３０で閉じられた密閉空間なので、酸素による圧力が加わった状態を維持している。このことから、空中の酸素が放出されにくく、水槽内の酸素濃度が変わらないという効果を奏する。これにより、水中の生餌を生きた新鮮な状態で長時間維持することができる。
【００２４】
水槽内の水面に対し、酸素供給室１１側の水面には酸素の圧力がかかり、一方餌取出し室１２側の水面にはほとんど水面と接する高さの位置に波消し浮動板６０が配設してあるので、前記波消し浮動板６０によって、移動中の波が抑えられることから、水が搖動しにくくなり、水中の酸素が放出されにくく、かつ生餌も搖動により疲労することもないという効果を奏する。
【００２５】
酸素供給室１１内に酸素缶４０（市販の物）から噴出させた酸素濃度が約９５％酸素を酸素供給室１１内の空間で空気と酸素とを混合させて酸素濃度を低下させる。これは酸素濃度が異なることによって生餌の種類の中で死滅する種類があるからである。前記酸素濃度は、酸素供給室１１内の空間の圧力を調整することによって間接的に調整することができ、使用する生餌に応じて間接的に酸素濃度を調整することができる。そして、混合された酸素を空気ポンプ５０によって水の中に供給するので、長時間にわたって連続的に一定濃度の酸素を供給することができるという効果を奏する。
【００２６】
請求項２に記載の生餌用クーラーセット１は、請求項１に記載の発明と同様の効果を奏する。また、第一チューブ５１、第二チューブ５２、エアストーン５３及び泡誘導板５４を備えるので、酸素を水槽内全域に亘り確実に供給することができるという効果を奏する。これにより、生餌をさらに新鮮に維持することができる。
【００２７】
請求項３に記載の生餌用クーラーセット１は、請求項１又は２に記載の発明と効果を奏する。圧力抜き弁３３は、酸素供給室１１内の圧力を調整し維持することができるので、酸素の流入量を調整することができ間接的に酸素供給室１１内の酸素濃度を調整することができる。
【００２８】
したがって、逆流防止弁３２と圧力抜き弁３３を備えるので酸素供給室１１の酸素濃度を適度に長時間保つことができ、その酸素を水中に供給することができる。これにより、長時間にわたって生餌を新鮮な状態で維持することができる。
【００２９】
また、餌入れキャップ３１に、酸素注入口３４、逆流防止弁３２及び圧力抜き弁３３を配設する場合は、餌入れするときには酸素供給室１１側から餌入れキャップ３１を取り除いて餌を入れるが、そのときに餌入れキャップ３１の取外しとともに、酸素注入口３４、逆流防止弁及３２び圧力抜き弁３３がいっしょに取り外されるので、餌入れ用の開口部を広く確保することができ、餌入れ作業がさっと楽にできるという効果を奏する。
【００３０】
請求項４に記載の生餌用クーラーセット１は、請求項１乃至３に記載のいずれかの発明と同様の効果を発揮する。さらに、酸素缶４０からの酸素を供給するときに、逆流防止弁３２の酸素注入口３４側に位置するボール３２ａに酸素チューブ４１の先端を密着させても前記酸素チューブ４１の先端部の形状が維持されやすく、酸素の流路が確保されるという効果を奏する。
【００３１】
請求項５に記載の生餌用クーラーセット１は、請求項１乃至４に記載のいずれかの発明と同様の効果を発揮する。さらに、ボックス本体１０内の水Ｗの温度上昇を抑制して生餌を長時間にわたって弱らせないという効果を奏する。
【図面の簡単な説明】
【００３２】
【図１】本発明の実施形態に係る生餌用クーラーセットを示す斜視図である。
【図２】図１に示すクーラーセットを示す平面図である（上蓋を全開した状態）。
【図３】図１に示すクーラーセットのＸ−Ｘ断面図である。
【図４】本発明の他の実施形態に係る生餌用クーラーセットを示す斜視図である（泡誘導板を示す）。
【図５】図３における逆流防止弁及び圧力抜き弁の範囲に酸素チューブを追加した概要拡大図である。
【図６】リング未装着時の酸素チューブの先端部付近の概要図である。
【図７】本発明の実施形態に係るクーラーセットに使用する酸素缶及び酸素チューブを示す斜視図である。
【発明を実施するための最良の形態】
【００３３】
本発明に係る生餌用クーラーセット１の実施形態を、図１乃至図７に示す。本発明は、魚釣り用の生餌を移送するためのクーラーセットであって、底面近傍に水を蓄える断熱性箱状のボックス本体１０と、平面視で前記ボックス本体１０の略中央部に、正面視で底面から前記ボックス本体１０の高さの約１／４〜１／２のいずれかの位置まで離隔させて、前記位置より上部の前記ボックス本体内を、酸素供給室１１と餌取出し室１２とに二分するように垂直方向に配設した仕切板２０と、前記酸素供給室１１の上部に水平方向に設けられ、前記酸素供給室１１を密閉する密閉板３０と、前記密閉板３０の上に設けられ、前記酸素供給室１１に供給された酸素を前記ボックス本体１０底面近傍に蓄えられる水Ｗの中に供給する空気ポンプ５０と、前記餌取出し室１２内における前記仕切板２０の下端部近傍に水平方向に設けられ上下方向で開閉可能な板状の波消し浮動板６０と、を含む構成要素からなる。
【００３４】
また、本発明に係る生餌用クーラーセット１のボックス本体１０内における酸素の循環に係る構成要素は、一端が前記空気ポンプ５０に連結され、他端が前記酸素供給室１１内に延設された短尺状の第一チューブ５１と、一端が前記空気ポンプ５０に連結され、他端が平面視で前記酸素供給室１１側の前記ボックス本体１０底面近傍まで延設された長尺状の第二チューブ５２と、前記第二チューブ５２の前記ボックス本体１０底面近傍まで延設された端部に接続され、平面視で前記酸素供給室１１側の前記ボックス本体１０底面上に載置されたエアストーン５３と、前記仕切板２０の下方であって前記エアストーン５３の上部に、かつ正面視で前記酸素供給室１１側を高く前記餌取出し室１２側を低く斜めに配設された、格子状のメッシュ及び／又は直径１〜５ｍｍの孔を複数設けた板状の泡誘導板５４と、を含む構成要素からなる。
【００３５】
さらに、本発明に係る生餌用クーラーセット１の酸素供給室１１内における酸素の圧力の調整及び維持に係る構成要素は、前記密閉板３０に穿孔し螺刻した餌入れ用の開口部に螺設する餌入れキャップ３１に設けた、又は前記密閉板３０上に設けた、酸素注入口３４と、前記酸素供給室１１に供給された酸素の逆流を防止するために前記酸素注入口３４に連通した流路に配設した逆流防止弁３２と、前記酸素供給室１１が前記酸素の供給過多によって高圧になった際に、前記酸素を自動的に排出する圧力抜き弁３３と、を含む構成要素からなる。
【００３６】
以下に、本発明に係る生餌用クーラーセット１の構成要素について説明する。
【００３７】
ボックス本体１０は、釣り人が容易に携帯できる大きさの箱状であり、発泡スチロールなどの軽量で断熱効果のあるもので形成されている。ボックス本体１０の内部には、生餌用の水Ｗを入れ、水中に生きた状態の生餌を入れている。水Ｗは真水、淡水又は海水など生餌が生息可能な水であればよい。
【００３８】
ボックス本体１０の周囲には、物入れ用のゴム製の網部材１４が取付けられている。この網部材１４とボックス本体１０との間に、酸素缶４０や他の小物を収納することができる。なお、このボックス本体１０には、肩掛けベルト１５や水抜き栓１０ａが取付けられている。
【００３９】
ボックス本体１０を断熱材で作ることによって、ボックス本体１０内の水Ｗの温度上昇を防止することができ、これによって、生餌を新鮮な状態で長時間維持することができる。
【００４０】
仕切板２０は、ボックス本体１０のほぼ中間部に、正面視で底面から前記ボックス本体の高さの約１／４〜１／２のいずれかの位置まで離隔させて、前記位置より上部の前記ボックス本体内を、酸素供給室と餌取出し室とに二分するように垂直方向に配置されており、前記仕切板２０の下端部より下方には開放部２０ａが形成されている。
【００４１】
この仕切板２０によって、ボックス本体１０の内部を、酸素供給室１１と餌取出し室１２とに二分している。また、開放部２０ａによって、水中の生餌は、平面視で酸素供給室１１側と餌取出し室１２側との間を自由に行き来することができる。
【００４２】
そして、水Ｗは仕切板２０の下端部より上方の高さまで入れ、ボックス本体１０を傾けた場合でも、仕切板２０の下端部が空中に現れないように、酸素供給室１１と餌取出し室１２とが空間部で連通しないように水Ｗを注水する。酸素供給室１１と餌取出し室１２とが空間部で連通させないようにすることにより、生餌を取り出すときにおいても酸素供給室１１の酸素の濃度や圧力が維持されるという効果が生じる。
【００４３】
酸素供給室１１の上端部と餌取出し室１２の上端部（共に、ボックス本体１０の上端部）には上蓋１６が取付けられている。上蓋１６は、酸素供給室１１と餌取出し室１２の両室の上端部を同時に覆う一体型の形態、又は酸素供給室１１用と餌取出し室１２用との上端部を別々に覆う分離型の形態でもよい。
【００４４】
また、前記上蓋１６は、開閉型又は取外し型のどちらの形態でもよい。開閉型の場合は前記上蓋１６はパッチン錠１７によって開閉自在とされ、取外し型の場合は前記上蓋１６はボックス本体１０の上縁部の外周部に嵌設し着脱できるように取り付けられている。
【００４５】
餌取出し室１２側の上蓋１６の内側には中蓋１９が設けられており、前記中蓋１９の裏面側には、袋体部７０を設け、前記袋体部７０には保冷剤７１を内挿する。前記保冷剤７１は、ボックス本体１０内の空間及び水の温度上昇を抑制するので、水中の生餌が温度上昇より弱るのを防止することができる。本発明は、前記ボックス本体１０の断熱材と、前記中蓋１９に取り付けた袋体部７０に内挿した保冷剤７１とによって、ボックス本体１０内の水Ｗの温度上昇を抑制させる効果を向上させている。
【００４６】
密閉板３０は、酸素供給室１１の上部に水平方向に設けられた透明の板であり、酸素供給室１１の上端部を密閉する。この密閉板３０によって酸素供給室１１の密閉性を保つ。また、透明としたことで、水中の生餌を視認することができる。
【００４７】
密閉板３０には、生餌を投入するための、螺着式の餌入れキャップ３１を設けている。この餌入れキャップ３１を外すことで形成される開口部から生餌を投入することができる。また、この餌入れキャップ３１には逆流防止弁３２が取付けられている。この逆流防止弁３２を通して、酸素缶４０からの酸素が酸素供給室１１へ供給される。また、酸素供給室１１に供給された酸素が逆流しないように、前記逆流防止弁３２が作用する。
【００４８】
逆流防止弁３２は、弁室３２ｃにステンレス製のバネ（スプリングコイル）３２ｂを挿入し、そのバネ３２ｂの上に同様にステンレス製のボール３２ａを載置して構成している（図５参照）。弁室３２ｃには複数の酸素流出孔３２ｄを形成し、そこを通して酸素を酸素供給室１１に注入している。
【００４９】
また、餌入れキャップ３１には、酸素供給室１１に設定圧力超の圧力になるまで酸素が注入された場合に、その酸素供給室１１内が高圧になるのを防ぐための圧力抜き弁３３が設けられている（図５参照）。この圧力抜き弁３３は、圧力室３３ａと、その中に配置され、酸素供給室１１内の高圧によって浮動する弁３３ｂと、圧力室３３ａに連通する圧力排出穴３３ｃと、圧力を設定する圧力調整ツマミ３３ｄとを備える。前記弁３３ｂの形態は、球体状の弁や平板状の弁など、バネと気体の圧力との差で開口部を開閉可能な形態であればいずれの形態でもよい。
【００５０】
そして、圧力調整ツマミ３３ｄを左回転又は右回転させることにより、バネ３３eの収縮又は伸長させて弁３３ｂを押圧させる圧力を調整し、前記弁３３ｂを押圧させる圧力によって酸素供給室１１内の圧力の上限値を規制する。また、圧力抜き弁３３に代えて圧力調整弁（市販の物）を取り付けることもできる。
【００５１】
また、密閉板３０上には空気ポンプ５０を載設しており、この空気ポンプ５０によって、酸素缶４０から酸素供給室１１に供給された酸素を、第一チューブ５１を介して吸入した後、第二チューブ５２を介してエアストーン５３から泡状の酸素として水Ｗの中へ送り出している。本実施形態の空気ポンプ５０は乾電池を電源としている。なお、空気ポンプ５０は市販品でもよい。
【００５２】
なお、第一チューブ５１は短尺状であり、その一端部が空気ポンプ５０に連結されると共に他端部が酸素供給室１１の空間部分に配置されている。また、第二チューブ５２は、第一チューブ５１より長尺状であり、その一端部が空気ポンプ５０に連結されると共に他端部が水中に配置されている。
【００５３】
長尺状のエアストーン５３は、第二チューブ５２の先端部分に取付けられ、供給された酸素を酸素供給室１１側の水中で幅広く噴出する働きを担う。
【００５４】
このエアストーン５３は、図４に示すように、長尺状とし、仕切板の略真下付近の酸素供給室１１側に載設する。長尺状のエアストーンを載置することによってボックス本体１０内に幅広く酸素を噴出させることができる。
【００５５】
また、このエアストーン５３から噴出される酸素の泡をボックス本体１０内の全体に行き渡らせるために、ボックス本体１０の底面に泡誘導板５４を設けることができる。前記泡誘導板５４は傾斜姿勢で配置し、泡の昇って行く方向に合わせて、泡を通過させる穴の大きさを変えることで水Ｗの対流を促すことができる。泡誘導板５４によって生じた対流によって、酸素を酸素供給室１１及び餌取出し室１２の水中に亘る広範囲に行き渡らせることができ、生餌が弱ることなく鮮度を保つことができる。
【００５６】
なお、本実施形態では、小穴（１ｍｍ）５４ａ、中穴（２ｍｍ）５４ｂ、大穴（３ｍｍ）５４ｃの三種類の穴を下側から上側に向けて順に形成している。なお、エアストーン５３から噴出される泡の大きさは噴出された直後は小さいが、上昇するに従って徐々に大きくなるのに合わせて孔の大きさを設けている。なお、酸素の泡が通過できればよいので孔の大きさは同一であってもよく、任意に設定した複数種類の大きさの組み合わせであってもよい。
【００５７】
前記泡誘導板５４は、前記孔を設けた側を酸素供給室１１側で餌取出し室１２側と離れた側を高くして傾斜させ、仕切板２０の略真下から餌取出し室１２側で細かい格子状のメッシュ部５４ｄを設けた側を略水平状に配設することもできる。この場合に、前記細かい格子状のメッシュ部５４ｄを、生餌であるエビなどの手足が掴む部位として提供することができる。エビは床面がツルツルするとあちこちと移動して弱るが、前記メッシュ部５４ｄを設けたことによってエビを弱りにくい環境にすることができる。ここで、前記泡誘導板５４は、金属や高分子材料などのうち、水よりも重い比重の材質で小さい孔を穿孔できる材質であればよい。
【００５８】
波消し浮動板６０は、図３に示すように、餌取出し室１２に、その下面が水Ｗの水面に接するように配置された板であり、水Ｗの波立ちを防止する働きを担う。移動中に波が立って生餌が大きく揺られてボックス本体１０の内壁などに衝突して傷がつくことを防止する効果があり、前記波消し浮動板６０は丁番等で回動自在としている。この波消し浮動板６０、中蓋１９および上蓋１６を開放することによって生餌を掬い取る。
【００５９】
波消し浮動板６０の上面には把手６０ａを突設し、また、ボックス本体１０の内壁面に留め具１３を設けている（図３参照）。これにより、波消し浮動板６０を開いた際に、把手６０ａを留め具１３に係合させて取付け、波消し浮動板６０が閉じないようにしている。これにより、生餌を連続して容易に掬い出すことができる。
【００６０】
酸素缶４０は、図7に示すような市販の酸素缶を使用することができる。この酸素缶４０にはキャップノズル４３を取付け、そのキャップノズル４３には、図６に示すような酸素チューブ４１の端部を取付ける。そして、手作業によって、酸素チューブ４１の先端部を逆流防止弁３２のボール３２ａに押し付けて酸素を供給する。なお、酸素缶４０から酸素をボックス本体１０の酸素供給室１１に充満させた後は、前記酸素は前記酸素供給室１１及び水Ｗ内にも含有されるので、魚釣りに行っている時間中は生餌にとって必要な酸素は十分に確保されることから、酸素缶４０を魚釣りに行くときに常時携帯していなくてもよいという効果がある。
【００６１】
この際、酸素チューブ４１の先端部が拡がってボール３２ａを抱えこむ状態になると、円滑な酸素注入ができない。そのため、酸素チューブ４１の先端部に長穴部４１ａを形成すると共に、外周面又は内周壁面にリング４２を周設して、その長穴部４１ａから十分な酸素が供給できるようにしている。リング４２は、酸素チューブ４１の先端部の形状を維持して拡がり過ぎないようにする役目を担う。
【００６２】
なお、リング４２の材質は限定されず、金属、ゴム、樹脂などを使用することができる。また、酸素缶４０は、自在に着脱することができる。
【００６３】
なお、本発明のクーラーセット１においては、ボックス本体１０の酸素供給室１１の上部に、外部に通じる二つのチューブ穴１８を設けることができる（図１参照）。この二つのチューブ穴１８に、それぞれ第一チューブ５１および第二チューブ５２を挿通することで、空気ポンプ５０をボックス本体１０の外側に設置することができる。これは、空気ポンプ５０が大きいために、ボックス本体１０内に収納することができない場合に有効である。
【００６４】
このように、酸素供給室１１内に設定する圧力が小の場合には、これに適応した排出量の小さい空気ポンプ５０を酸素供給室１１内の密閉板３０上に設けることができ、酸素供給室１１内に設定する圧力が大の場合には、これに適応した排出量の大きい空気ポンプ５０をクーラーボックス本体１０の外側に設けることができる。
【００６５】
なお、空気ポンプ５０の電源としては、乾電池の他に、アダプターＤＣ電源やＡＣ電源を使用することができる。
【００６６】
また、この生餌用クーラーセット１は、空気ポンプ５０を使用しないで使うこともできる。その場合、酸素缶４０の酸素を一方のチューブ穴１８から酸素供給室１１に注入し、また、酸素供給室１１の酸素が必要以上に高圧になった場合には、他方のチューブ穴１８から排出させることができる。
【００６７】
本実施形態に係る生餌用クーラーセット１は、次のような作用効果を発揮する。
（１）ボックス本体１０内を、生餌が生息する下部の水Ｗの貯留部は仕切らず、上部及び中部を仕切板２０によって酸素供給室１１と餌取出し室１２に分離させたことにより、餌取出しによって餌取出し室１２側の中蓋１９が開放しても、酸素供給室１１側は密閉された状態であるので、酸素供給室１１内の大気中の酸素圧力及び酸素濃度を設定した圧力に応じたレベルで長時間維持させることができる。
（２）酸素圧力及び酸素濃度を長時間維持させることができるので、酸素缶４０を必ずしも持ち運ばなくともよい。
（３）酸素缶４０からの純度略９５％の酸素を酸素供給室１１内に供給し、前記酸素供給室１１内の大気と混合させて、圧力抜き弁３３で設定した圧力になるようにすることにより、酸素供給室１１内の酸素圧力及び酸素濃度を狙いのレベルにすることができる。これにより使用しようとする生餌に応じて、圧力抜き弁３３を調整することによって好ましい酸素濃度にすることができる。
（４）酸素供給室１１内の酸素を空気ポンプ５０で吸い込み、水中に噴出する。これにより、生餌に適合させた酸素濃度の酸素を水中に供給することができる。
（５）長尺状のエアストーン５３、及び多数の孔を穿孔した面と細かい格子状の面を有する泡誘導板５４を配設したことにより、酸素を水中に広範囲に対流させて行き渡らせることができる。これにより生餌を長時間弱らないようにすることができる。また、細かい格子に特にエビが掴まってくれるので、床面がツルツルの場合に比較してエビが弱らないという効果がある。
（６）波消し浮動板６０を配設したことにより、水の搖動を抑制することができ、これにより、生餌が強制的に水の搖動により流されることがなくなるので、生餌が弱りにくいという効果がある。
（７）中蓋１９の裏面に袋体７０を設け、前記袋体７０内に保冷剤７１を内挿した形態にしたことと、及び上蓋１６を含むボックス本体１０に断熱材を使用したことにより、ボックス本体１０内の温度上昇を抑制させることができる。これにより、生餌を長時間弱らないようにすることができる。
（８）逆流防止弁３２をボール３２ａとバネ３２ｂを有する構成とし、酸素チューブ４１の先端部に長穴部４１ａを形成し、リング４２で巻回したので、当該先端部を破壊することなく、長穴部４１ａから酸素を確実に供給することができる。これによっても、生餌を新鮮に保つことができる。
（９）釣りを終えた後、網部材１４に酸素缶４０や小物を入れて持ち帰ることができる。また、この網部材１４は、ゴミ入れとしても使用することができる。従って、使用性に優れる。
【００６８】
本願発明の使用方法を説明する。まず水Ｗを仕切板２０の下端部より上方で波消し浮動板６０の下面に接する深さになるまで水Ｗを、餌入れキャップ３１を取り外した酸素供給室１１、又は中蓋１９及び波消し浮動板６０を開放した餌取出し室１２から注水する。そして、保冷剤７１を中蓋１９に取り付けた袋体７０内に内挿し、波消し浮動板６０及び中蓋１９を閉じ餌取出し室１２側を密閉にする。
【００６９】
餌入れキャップ３１を取り外したときに現れる穴から、生餌を酸素供給室１１側に入れる。
【００７０】
次に、螺着式で取り付ける餌入れキャップ３１を取り付け酸素供給室１１側も密閉にする。酸素缶４０に圧入されていた酸素をボックス本体１０内に注入するため、酸素チューブ４１の先端部である長穴部４１ａを逆流防止弁３２のボール３２ａに押し付けて、その状態を維持したままキャップノズル４３を操作する。この操作を圧力抜き弁３３から酸素が放出されるまで継続する。これにより、酸素供給室１１内には設定された圧力を有する酸素が封入される。
【００７１】
次に、空気ポンプ５０をスイッチ（図なし）で作動させる。これによって、酸素供給室１１内の酸素が第一チューブ５１によって空気ポンプ５０側に吸い込まれ、第二チューブ５２によってエアストーン５３に流出され、エアストーン５３から酸素が水中に噴出される。
【００７２】
噴出された酸素は泡誘導板５４によってボックス本体１０内の水Ｗ内に対流を生じさせ、酸素の泡が水Ｗ全域に行き渡る。空気ポンプ５０を作動させている間は、酸素の循環が繰り返される。これにより水Ｗ内の酸素濃度を維持できる。
【００７３】
ボックス本体１０の中部及び上部は仕切板２０で２分割されているが、ボックス本体１０の下部は仕切板２０が設置されていないので、生餌は水Ｗ内を酸素供給室１１側及び餌取出し室１２側に関係なく自由に回遊する。
【００７４】
生餌を取り出すときは、餌取出し室１２側の上蓋１６を開放し、中蓋１９を開放し、波消し浮動板６０を開放する。このとき把手６０ａを留め具１３に係止させて波消し浮動板６０の開放状態を維持させる。
【００７５】
そして、網を餌取出し室１２に差し込み、生餌を掬い取る。生餌を必要数取った後は、波消し浮動板６０、中蓋１９、上蓋１６を閉じ、餌取出し室１２側を密閉する。
【符号の説明】
【００７６】
１        生餌用クーラーセット
１０      ボックス本体
１０ａ    水抜き栓
１１      酸素供給室
１２      餌取出し室
１３      留め具
１４      網部材
１５      肩掛けベルト
１６      上蓋
１７      パッチン錠
１８      チューブ穴
１９      中蓋
２０      仕切板
２０ａ    開放部
３０      密閉板
３１      餌入れキャップ
３２      逆流防止弁
３２ａ    ボール
３２ｂ    バネ
３２ｃ    弁室
３２ｄ    酸素流出孔
３３      圧力抜き弁
３３ａ    圧力室
３３ｂ    弁
３３ｃ    圧力排出穴
３３ｄ    圧力調整ツマミ
３３e      バネ
３４      酸素注入口
４０      酸素缶
４１      酸素チューブ
４１ａ    長穴部
４２      リング
４３      キャップノズル
５０      空気ポンプ
５１      第一チューブ
５２      第二チューブ
５３      エアストーン
５４      泡誘導板
５４ａ    小穴
５４ｂ    中穴
５４ｃ    大穴
５４ｄ    メッシュ部
６０      波消し浮動板
６０ａ    把手
７０      袋体部
７１      保冷剤
Ｗ        水
【図１】
2013081427.tif 000003
【図２】
2013081427.tif 000004
【図３】
2013081427.tif 000005
【図４】
2013081427.tif 000006
【図５】
2013081427.tif 000007
【図６】
2013081427.tif 000008
【図７】
2013081427.tif 000009
【手続補正書】
【提出日】平成24年5月9日(2012.5.9)
【手続補正１】
【補正対象書類名】明細書
【補正対象項目名】全文
【補正方法】変更
【補正の内容】
【発明の詳細な説明】
【技術分野】
【０００１】
本発明は、魚釣り用の生の餌を、生きた状態を維持しながら移送するための生餌用のクーラーセットに関するものである。
【背景技術】
【０００２】
従来から、藻エビなどの生餌を移送するには、水を張ったケースにその生餌を入れ、空気ポンプで外気を循環させる手段が採られている。
【０００３】
例えば、特許文献１には、自動販売機内に収納された個々の容器に生餌を入れ、保湿剤と酸素を封入し密封させ、自動販売機内に展示する装置が開示されている。
【０００４】
また、特許文献２には、携帯型の生餌ケースに酸素ボンベを併設し、空気ポンプを使用せず直接酸素ボンベからの圧力で水中へ酸素を供給する装置が開示されている。
【０００５】
また、特許文献３には、鮮度保持箱内の上部にカバーを設け、電源供給用乾電池、エアー供給ポンプなどを制御ボタンと共に各々の凹室に内蔵し取付けたものが開示されている。
【先行技術文献】
【特許文献】
【０００６】
【特許文献１】特開２００４−３５７６０５号公報
【特許文献２】実用新案登録第３１０２２１７号公報
【特許文献３】実用新案登録第３１４００７５号公報
【発明の概要】
【発明が解決しようとする課題】
【０００７】
しかし、上記従来技術では、釣り場に移動中に、生餌が水中の酸素濃度の低下や温度上昇等によって死んでしまうといった問題があった。
【０００８】
例えば、特許文献１に記載の技術は、生餌を自動販売機内で長時間生かすことを主な目的としているため、自動販売機内での保存時間が長くなると自動販売機から取り出したときからの残時間が短くなり釣り人からみれば生餌を長時間生かすことができないとい問題があり、また釣り人が自動販売機から釣り場まで移動する時間が長ければ弱ってしまうという問題があった。また、複数の小さい生餌容器で構成されているために持ち帰る場合に嵩張ってしまうという問題や、持ち帰らない場合には釣り場にゴミとして廃棄されるという問題があった。
【０００９】
また、特許文献２に記載の技術は、酸素ボンベから水槽内の水中へ、酸素ボンベ内の圧力を利用して直接に噴出させているため酸素過多になりやすい。あるいは酸素ボンベからの供給間隔が長くなり過ぎると酸素不足となり易い。また、生餌の種類によっては酸素濃度を変更する必要があるなどの問題があった。
【００１０】
また、生餌を取り出すときに携帯型生け簀箱の蓋を開けるが、そのときに水槽のすべての水面が開放空間に接するため、携帯型生け簀箱の空中の酸素濃度が生餌を取り出すごとに薄まるという問題があった。
【００１１】
さらに、酸素ボンベから直接水槽内に酸素ガスを噴出させるだけなので、噴出された酸素の泡は噴出口からすぐに垂直方向に向かって上昇し、水槽全域に酸素の泡が行き渡りにくいという問題があった。さらに、酸素ボンベを常に水槽部と一体的に携帯しなければならないので、酸素ボンベ付の多機能魚箱が重たく持ち歩きにくいという問題があった。
【００１２】
特許文献３に記載の技術は、鮮度保持箱内に長穴部を設けて電池、空気ポンプ、制御ボタンを取付け、その長穴部の上蓋を取付ネジによって固定して気密性を維持している。従って、釣り場で電池切れなどが発生することを踏まえて、上蓋を取り外すための工具（ドライバーなど）を用意する必要がある。また、空気ポンプを設置している凹室は気密構造であり防水構造なので、空気ポンプが故障した場合も上蓋を取り外すための工具を用意する必要があり、使用性が悪いという問題があった。
【００１３】
また、酸素ボンベ又は酸素缶の記載がみられないので、酸素の濃度の低い空気の供給であるので、生餌が長時間生きにくいという問題があった。
【００１４】
さらに、空気の供給を行うエア供給ポンプセットについては、特許文献３の段落［００１３］にエア供給ポンプセットは、モータ、エアバルブ及び管路からなる構成であると記載があり、この構成では空気の泡は管の先端部から真っ直ぐ上方に向けていくので、空気の泡を水槽内に万遍なく行き渡らせることが困難であるという問題があった。
【００１５】
さらに、特許文献２や特許文献３の技術には、温度についての記載が見当たらない。水槽内の水温が２０℃超になると生餌は、死んだり又は弱ってしまうという問題があった。
【００１６】
本発明はこうした問題に鑑み創案されたもので、生餌を取り出すごとに蓋を開放しても適度な酸素濃度を水槽内で長時間維持しやすく、酸素の泡を水槽内全域に行き渡らせやすく、水の温度を上昇し過ぎないようにでき、生餌を釣り場まで長時間生きたままの新鮮な状態で移送することができ、かつ、使用性に優れる生餌用のクーラーセットを提供することを課題とする。
【課題を解決するための手段】
【００１７】
請求項１に記載の生餌用クーラーセット１は、魚釣り用の生餌を移送するためのクーラーセットであって、底面近傍に水を蓄える断熱性箱状のボックス本体１０と、平面視で前記ボックス本体１０の略中央部に、正面視で底面から前記ボックス本体１０の高さの１／４〜１／２のいずれかの位置まで離隔させて、前記位置より上部の前記ボックス本体１０内を、酸素供給室１１と餌取出し室１２とに二分するように垂直方向に配設した仕切板２０と、前記酸素供給室１１の上部に水平方向に設けられ、前記酸素供給室１１を密閉する密閉板３０と、前記密閉板３０の上に設けられ、前記酸素供給室１１に供給された酸素を前記ボックス本体１０底面近傍に蓄えられる水の中に供給する空気ポンプ５０と、前記餌取出し室１２内における前記仕切板２０の下端部近傍に水平方向に設けられ上下方向で開閉可能な板状の波消し浮動板６０と、を含む構成要素からなることを特徴とする。なお、酸素供給室１１への酸素の供給には、酸素缶４０を用いることができる。
【００１８】
請求項２に記載の生餌用クーラーセット１は、請求項１において、一端が前記空気ポンプ５０に連結され、他端が前記酸素供給室１１内に延設された短尺状の第一チューブ５１と、一端が前記空気ポンプ５０に連結され、他端が平面視で前記酸素供給室１１側の前記ボックス本体１０底面近傍まで延設された長尺状の第二チューブ５２と、前記第二チューブ５２の前記ボックス本体１０底面近傍まで延設された端部に接続され、平面視で前記酸素供給室１１側の前記ボックス本体１０底面上に載置されたエアストーン５３と、前記仕切板２０の下方であって前記エアストーン５３の上部に、かつ正面視で前記酸素供給室１１側を高く前記餌取出し室１２側を低く斜めに配設された、格子状のメッシュ及び／又は直径１〜５ｍｍの孔を複数設けた板状の泡誘導板５４と、を備えることを特徴とする。
【００１９】
請求項３に記載の生餌用クーラーセット１は、請求項１または２において、前記密閉板３０に穿孔し螺刻した餌入れ用の開口部に螺設する餌入れキャップ３１に設けた、又は前記密閉板３０上に設けた、酸素注入口３４と、前記酸素供給室１１に供給された酸素の逆流を防止するために前記酸素注入口３４に連通した流路に配設した逆流防止弁３２と、前記酸素供給室１１が前記酸素の供給過多によって高圧になった際に、前記酸素を自動的に排出する圧力抜き弁３３と、を配設することを特徴とする。
【００２０】
請求項４に記載の生餌用クーラーセット１は、請求項３において、前記逆流防止弁３２が、酸素注入口３４側に配設されたボール３２ａと酸素流出側に配設されたバネ３２ｂとを含む構成であり、前記ボール３２ａに接する、構成部材ではない酸素缶４０からの酸素チューブ４１の先端部の形態を、前記先端部の先端から酸素缶側に向けて少なくとも１つ以上の長穴部４１ａを設け、かつ前記先端部近傍に前記酸素チューブ４１の外周壁面又は内周壁面に環状のリング４２を周設したことを特徴とする。
【００２１】
請求項５に記載の生餌用クーラーセット１は、請求項１乃至４のいずれかにおいて、上蓋１６を含むボックス本体１０に断熱材を使用し、かつボックス本体１０内に保冷剤７１を内設したことを特徴とする。
【発明の効果】
【００２２】
請求項１に記載の生餌用クーラーセット１は、底面側の開放部を除いて上側のクーラー内の空間を酸素供給室１１と餌取出し室１２とに二分させたので、餌を取り出すときに上蓋１６を開放してもクーラー外の大気に接する部分がクーラーの略半分の領域に留まるので、生餌用クーラーセット１内の酸素が放出されにくいという効果を奏する。
【００２３】
また、前記餌取出し室１２側の上蓋１６を開放したときにおいて、酸素供給室１１側の空間は、酸素供給室１１側の上蓋１６は閉じられたままでありかつ密閉板３０で閉じられた密閉空間なので、酸素による圧力が加わった状態を維持している。このことから、空中の酸素が放出されにくく、水槽内の酸素濃度が変わらないという効果を奏する。これにより、水中の生餌を生きた新鮮な状態で長時間維持することができる。
【００２４】
水槽内の水面に対し、酸素供給室１１側の水面には酸素の圧力がかかり、一方餌取出し室１２側の水面にはほとんど水面と接する高さの位置に波消し浮動板６０が配設してあるので、前記波消し浮動板６０によって、移動中の波が抑えられることから、水が搖動しにくくなり、水中の酸素が放出されにくく、かつ生餌も搖動により疲労することもないという効果を奏する。
【００２５】
酸素供給室１１内に酸素缶４０（市販の物）から噴出させた酸素濃度が約９５％酸素を酸素供給室１１内の空間で空気と酸素とを混合させて酸素濃度を低下させる。これは酸素濃度が異なることによって生餌の種類の中で死滅する種類があるからである。前記酸素濃度は、酸素供給室１１内の空間の圧力を調整することによって間接的に調整することができ、使用する生餌に応じて間接的に酸素濃度を調整することができる。そして、混合された酸素を空気ポンプ５０によって水の中に供給するので、長時間にわたって連続的に一定濃度の酸素を供給することができるという効果を奏する。
【００２６】
請求項２に記載の生餌用クーラーセット１は、請求項１に記載の発明と同様の効果を奏する。また、第一チューブ５１、第二チューブ５２、エアストーン５３及び泡誘導板５４を備えるので、酸素を水槽内全域に亘り確実に供給することができるという効果を奏する。これにより、生餌をさらに新鮮に維持することができる。
【００２７】
請求項３に記載の生餌用クーラーセット１は、請求項１又は２に記載の発明と効果を奏する。圧力抜き弁３３は、酸素供給室１１内の圧力を調整し維持することができるので、酸素の流入量を調整することができ間接的に酸素供給室１１内の酸素濃度を調整することができる。
【００２８】
したがって、逆流防止弁３２と圧力抜き弁３３を備えるので酸素供給室１１の酸素濃度を適度に長時間保つことができ、その酸素を水中に供給することができる。これにより、長時間にわたって生餌を新鮮な状態で維持することができる。
【００２９】
また、餌入れキャップ３１に、酸素注入口３４、逆流防止弁３２及び圧力抜き弁３３を配設する場合は、餌入れするときには酸素供給室１１側から餌入れキャップ３１を取り除いて餌を入れるが、そのときに餌入れキャップ３１の取外しとともに、酸素注入口３４、逆流防止弁及３２び圧力抜き弁３３がいっしょに取り外されるので、餌入れ用の開口部を広く確保することができ、餌入れ作業がさっと楽にできるという効果を奏する。
【００３０】
請求項４に記載の生餌用クーラーセット１は、請求項３に記載の発明と同様の効果を発揮する。さらに、酸素缶４０からの酸素を供給するときに、逆流防止弁３２の酸素注入口３４側に位置するボール３２ａに酸素チューブ４１の先端を密着させても前記酸素チューブ４１の先端部の形状が維持されやすく、酸素の流路が確保されるという効果を奏する。
【００３１】
請求項５に記載の生餌用クーラーセット１は、請求項１乃至４に記載のいずれかの発明と同様の効果を発揮する。さらに、ボックス本体１０内の水Ｗの温度上昇を抑制して生餌を長時間にわたって弱らせないという効果を奏する。
【図面の簡単な説明】
【００３２】
【図１】本発明の実施形態に係る生餌用クーラーセットを示す斜視図である。
【図２】図１に示すクーラーセットを示す平面図である（上蓋を全開した状態）。
【図３】図１に示すクーラーセットのＸ−Ｘ断面図である。
【図４】本発明の他の実施形態に係る生餌用クーラーセットを示す斜視図である（泡誘導板を示す）。
【図５】図３における逆流防止弁及び圧力抜き弁の範囲に酸素チューブを追加した概要拡大図である。
【図６】リング未装着時の酸素チューブの先端部付近の概要図である。
【図７】本発明の実施形態に係るクーラーセットに使用する酸素缶及び酸素チューブを示す斜視図である。
【発明を実施するための最良の形態】
【００３３】
本発明に係る生餌用クーラーセット１の実施形態を、図１乃至図７に示す。本発明は、魚釣り用の生餌を移送するためのクーラーセットであって、底面近傍に水を蓄える断熱性箱状のボックス本体１０と、平面視で前記ボックス本体１０の略中央部に、正面視で底面から前記ボックス本体１０の高さの１／４〜１／２のいずれかの位置まで離隔させて、前記位置より上部の前記ボックス本体内を、酸素供給室１１と餌取出し室１２とに二分するように垂直方向に配設した仕切板２０と、前記酸素供給室１１の上部に水平方向に設けられ、前記酸素供給室１１を密閉する密閉板３０と、前記密閉板３０の上に設けられ、前記酸素供給室１１に供給された酸素を前記ボックス本体１０底面近傍に蓄えられる水Ｗの中に供給する空気ポンプ５０と、前記餌取出し室１２内における前記仕切板２０の下端部近傍に水平方向に設けられ上下方向で開閉可能な板状の波消し浮動板６０と、を含む構成要素からなる。
【００３４】
また、本発明に係る生餌用クーラーセット１のボックス本体１０内における酸素の循環に係る構成要素は、一端が前記空気ポンプ５０に連結され、他端が前記酸素供給室１１内に延設された短尺状の第一チューブ５１と、一端が前記空気ポンプ５０に連結され、他端が平面視で前記酸素供給室１１側の前記ボックス本体１０底面近傍まで延設された長尺状の第二チューブ５２と、前記第二チューブ５２の前記ボックス本体１０底面近傍まで延設された端部に接続され、平面視で前記酸素供給室１１側の前記ボックス本体１０底面上に載置されたエアストーン５３と、前記仕切板２０の下方であって前記エアストーン５３の上部に、かつ正面視で前記酸素供給室１１側を高く前記餌取出し室１２側を低く斜めに配設された、格子状のメッシュ及び／又は直径１〜５ｍｍの孔を複数設けた板状の泡誘導板５４と、を含む構成要素からなる。
【００３５】
さらに、本発明に係る生餌用クーラーセット１の酸素供給室１１内における酸素の圧力の調整及び維持に係る構成要素は、前記密閉板３０に穿孔し螺刻した餌入れ用の開口部に螺設する餌入れキャップ３１に設けた、又は前記密閉板３０上に設けた、酸素注入口３４と、前記酸素供給室１１に供給された酸素の逆流を防止するために前記酸素注入口３４に連通した流路に配設した逆流防止弁３２と、前記酸素供給室１１が前記酸素の供給過多によって高圧になった際に、前記酸素を自動的に排出する圧力抜き弁３３と、を含む構成要素からなる。
【００３６】
以下に、本発明に係る生餌用クーラーセット１の構成要素について説明する。
【００３７】
ボックス本体１０は、釣り人が容易に携帯できる大きさの箱状であり、発泡スチロールなどの軽量で断熱効果のあるもので形成されている。ボックス本体１０の内部には、生餌用の水Ｗを入れ、水中に生きた状態の生餌を入れている。水Ｗは真水、淡水又は海水など生餌が生息可能な水であればよい。
【００３８】
ボックス本体１０の周囲には、物入れ用のゴム製の網部材１４が取付けられている。この網部材１４とボックス本体１０との間に、酸素缶４０や他の小物を収納することができる。なお、このボックス本体１０には、肩掛けベルト１５や水抜き栓１０ａが取付けられている。
【００３９】
ボックス本体１０を断熱材で作ることによって、ボックス本体１０内の水Ｗの温度上昇を防止することができ、これによって、生餌を新鮮な状態で長時間維持することができる。
【００４０】
仕切板２０は、ボックス本体１０のほぼ中間部に、正面視で底面から前記ボックス本体の高さの１／４〜１／２のいずれかの位置まで離隔させて、前記位置より上部の前記ボックス本体内を、酸素供給室と餌取出し室とに二分するように垂直方向に配置されており、前記仕切板２０の下端部より下方には開放部２０ａが形成されている。
【００４１】
この仕切板２０によって、ボックス本体１０の内部を、酸素供給室１１と餌取出し室１２とに二分している。また、開放部２０ａによって、水中の生餌は、平面視で酸素供給室１１側と餌取出し室１２側との間を自由に行き来することができる。
【００４２】
そして、水Ｗは仕切板２０の下端部より上方の高さまで入れ、ボックス本体１０を傾けた場合でも、仕切板２０の下端部が空中に現れないように、酸素供給室１１と餌取出し室１２とが空間部で連通しないように水Ｗを注水する。酸素供給室１１と餌取出し室１２とが空間部で連通させないようにすることにより、生餌を取り出すときにおいても酸素供給室１１の酸素の濃度や圧力が維持されるという効果が生じる。
【００４３】
酸素供給室１１の上端部と餌取出し室１２の上端部（共に、ボックス本体１０の上端部）には上蓋１６が取付けられている。上蓋１６は、酸素供給室１１と餌取出し室１２の両室の上端部を同時に覆う一体型の形態、又は酸素供給室１１用と餌取出し室１２用との上端部を別々に覆う分離型の形態でもよい。
【００４４】
また、前記上蓋１６は、開閉型又は取外し型のどちらの形態でもよい。開閉型の場合は前記上蓋１６はパッチン錠１７によって開閉自在とされ、取外し型の場合は前記上蓋１６はボックス本体１０の上縁部の外周部に嵌設し着脱できるように取り付けられている。
【００４５】
餌取出し室１２側の上蓋１６の内側には中蓋１９が設けられており、前記中蓋１９の裏面側には、袋体部７０を設け、前記袋体部７０には保冷剤７１を内挿する。前記保冷剤７１は、ボックス本体１０内の空間及び水の温度上昇を抑制するので、水中の生餌が温度上昇より弱るのを防止することができる。本発明は、前記ボックス本体１０の断熱材と、前記中蓋１９に取り付けた袋体部７０に内挿した保冷剤７１とによって、ボックス本体１０内の水Ｗの温度上昇を抑制させる効果を向上させている。
【００４６】
密閉板３０は、酸素供給室１１の上部に水平方向に設けられた透明の板であり、酸素供給室１１の上端部を密閉する。この密閉板３０によって酸素供給室１１の密閉性を保つ。また、透明としたことで、水中の生餌を視認することができる。
【００４７】
密閉板３０には、生餌を投入するための、螺着式の餌入れキャップ３１を設けている。この餌入れキャップ３１を外すことで形成される開口部から生餌を投入することができる。また、この餌入れキャップ３１には逆流防止弁３２が取付けられている。この逆流防止弁３２を通して、酸素缶４０からの酸素が酸素供給室１１へ供給される。また、酸素供給室１１に供給された酸素が逆流しないように、前記逆流防止弁３２が作用する。
【００４８】
逆流防止弁３２は、弁室３２ｃにステンレス製のバネ（スプリングコイル）３２ｂを挿入し、そのバネ３２ｂの上に同様にステンレス製のボール３２ａを載置して構成している（図５参照）。弁室３２ｃには複数の酸素流出孔３２ｄを形成し、そこを通して酸素を酸素供給室１１に注入している。
【００４９】
また、餌入れキャップ３１には、酸素供給室１１に設定圧力超の圧力になるまで酸素が注入された場合に、その酸素供給室１１内が高圧になるのを防ぐための圧力抜き弁３３が設けられている（図５参照）。この圧力抜き弁３３は、圧力室３３ａと、その中に配置され、酸素供給室１１内の高圧によって浮動する弁３３ｂと、圧力室３３ａに連通する圧力排出穴３３ｃと、圧力を設定する圧力調整ツマミ３３ｄとを備える。前記弁３３ｂの形態は、球体状の弁や平板状の弁など、バネと気体の圧力との差で開口部を開閉可能な形態であればいずれの形態でもよい。
【００５０】
そして、圧力調整ツマミ３３ｄを左回転又は右回転させることにより、バネ３３eの収縮又は伸長させて弁３３ｂを押圧させる圧力を調整し、前記弁３３ｂを押圧させる圧力によって酸素供給室１１内の圧力の上限値を規制する。また、圧力抜き弁３３に代えて圧力調整弁（市販の物）を取り付けることもできる。
【００５１】
また、密閉板３０上には空気ポンプ５０を載設しており、この空気ポンプ５０によって、酸素缶４０から酸素供給室１１に供給された酸素を、第一チューブ５１を介して吸入した後、第二チューブ５２を介してエアストーン５３から泡状の酸素として水Ｗの中へ送り出している。本実施形態の空気ポンプ５０は乾電池を電源としている。なお、空気ポンプ５０は市販品でもよい。
【００５２】
なお、第一チューブ５１は短尺状であり、その一端部が空気ポンプ５０に連結されると共に他端部が酸素供給室１１の空間部分に配置されている。また、第二チューブ５２は、第一チューブ５１より長尺状であり、その一端部が空気ポンプ５０に連結されると共に他端部が水中に配置されている。
【００５３】
長尺状のエアストーン５３は、第二チューブ５２の先端部分に取付けられ、供給された酸素を酸素供給室１１側の水中で幅広く噴出する働きを担う。
【００５４】
このエアストーン５３は、図４に示すように、長尺状とし、仕切板の略真下付近の酸素供給室１１側に載設する。長尺状のエアストーンを載置することによってボックス本体１０内に幅広く酸素を噴出させることができる。
【００５５】
また、このエアストーン５３から噴出される酸素の泡をボックス本体１０内の全体に行き渡らせるために、ボックス本体１０の底面に泡誘導板５４を設けることができる。前記泡誘導板５４は傾斜姿勢で配置し、泡の昇って行く方向に合わせて、泡を通過させる穴の大きさを変えることで水Ｗの対流を促すことができる。泡誘導板５４によって生じた対流によって、酸素を酸素供給室１１及び餌取出し室１２の水中に亘る広範囲に行き渡らせることができ、生餌が弱ることなく鮮度を保つことができる。
【００５６】
なお、本実施形態では、小穴（１ｍｍ）５４ａ、中穴（２ｍｍ）５４ｂ、大穴（３ｍｍ）５４ｃの三種類の穴を下側から上側に向けて順に形成している。なお、エアストーン５３から噴出される泡の大きさは噴出された直後は小さいが、上昇するに従って徐々に大きくなるのに合わせて孔の大きさを設けている。なお、酸素の泡が通過できればよいので孔の大きさは同一であってもよく、任意に設定した複数種類の大きさの組み合わせであってもよい。
【００５７】
前記泡誘導板５４は、前記孔を設けた側を酸素供給室１１側で餌取出し室１２側と離れた側を高くして傾斜させ、仕切板２０の略真下から餌取出し室１２側で細かい格子状のメッシュ部５４ｄを設けた側を略水平状に配設することもできる。この場合に、前記細かい格子状のメッシュ部５４ｄを、生餌であるエビなどの手足が掴む部位として提供することができる。エビは床面がツルツルするとあちこちと移動して弱るが、前記メッシュ部５４ｄを設けたことによってエビを弱りにくい環境にすることができる。ここで、前記泡誘導板５４は、金属や高分子材料などのうち、水よりも重い比重の材質で小さい孔を穿孔できる材質であればよい。
【００５８】
波消し浮動板６０は、図３に示すように、餌取出し室１２に、その下面が水Ｗの水面に接するように配置された板であり、水Ｗの波立ちを防止する働きを担う。移動中に波が立って生餌が大きく揺られてボックス本体１０の内壁などに衝突して傷がつくことを防止する効果があり、前記波消し浮動板６０は丁番等で回動自在としている。この波消し浮動板６０、中蓋１９および上蓋１６を開放することによって生餌を掬い取る。
【００５９】
波消し浮動板６０の上面には把手６０ａを突設し、また、ボックス本体１０の内壁面に留め具１３を設けている（図３参照）。これにより、波消し浮動板６０を開いた際に、把手６０ａを留め具１３に係合させて取付け、波消し浮動板６０が閉じないようにしている。これにより、生餌を連続して容易に掬い出すことができる。
【００６０】
酸素缶４０は、図7に示すような市販の酸素缶を使用することができる。この酸素缶４０にはキャップノズル４３を取付け、そのキャップノズル４３には、図６に示すような酸素チューブ４１の端部を取付ける。そして、手作業によって、酸素チューブ４１の先端部を逆流防止弁３２のボール３２ａに押し付けて酸素を供給する。なお、酸素缶４０から酸素をボックス本体１０の酸素供給室１１に充満させた後は、前記酸素は前記酸素供給室１１及び水Ｗ内にも含有されるので、魚釣りに行っている時間中は生餌にとって必要な酸素は十分に確保されることから、酸素缶４０を魚釣りに行くときに常時携帯していなくてもよいという効果がある。
【００６１】
この際、酸素チューブ４１の先端部が拡がってボール３２ａを抱えこむ状態になると、円滑な酸素注入ができない。そのため、酸素チューブ４１の先端部に長穴部４１ａを形成すると共に、外周面又は内周壁面にリング４２を周設して、その長穴部４１ａから十分な酸素が供給できるようにしている。リング４２は、酸素チューブ４１の先端部の形状を維持して拡がり過ぎないようにする役目を担う。
【００６２】
なお、リング４２の材質は限定されず、金属、ゴム、樹脂などを使用することができる。また、酸素缶４０は、自在に着脱することができる。
【００６３】
なお、本発明のクーラーセット１においては、ボックス本体１０の酸素供給室１１の上部に、外部に通じる二つのチューブ穴１８を設けることができる（図１参照）。この二つのチューブ穴１８に、それぞれ第一チューブ５１および第二チューブ５２を挿通することで、空気ポンプ５０をボックス本体１０の外側に設置することができる。これは、空気ポンプ５０が大きいために、ボックス本体１０内に収納することができない場合に有効である。
【００６４】
このように、酸素供給室１１内に設定する圧力が小の場合には、これに適応した排出量の小さい空気ポンプ５０を酸素供給室１１内の密閉板３０上に設けることができ、酸素供給室１１内に設定する圧力が大の場合には、これに適応した排出量の大きい空気ポンプ５０をクーラーボックス本体１０の外側に設けることができる。
【００６５】
なお、空気ポンプ５０の電源としては、乾電池の他に、アダプターＤＣ電源やＡＣ電源を使用することができる。
【００６６】
また、この生餌用クーラーセット１は、空気ポンプ５０を使用しないで使うこともできる。その場合、酸素缶４０の酸素を一方のチューブ穴１８から酸素供給室１１に注入し、また、酸素供給室１１の酸素が必要以上に高圧になった場合には、他方のチューブ穴１８から排出させることができる。
【００６７】
本実施形態に係る生餌用クーラーセット１は、次のような作用効果を発揮する。
（１）ボックス本体１０内を、生餌が生息する下部の水Ｗの貯留部は仕切らず、上部及び中部を仕切板２０によって酸素供給室１１と餌取出し室１２に分離させたことにより、餌取出しによって餌取出し室１２側の中蓋１９が開放しても、酸素供給室１１側は密閉された状態であるので、酸素供給室１１内の大気中の酸素圧力及び酸素濃度を設定した圧力に応じたレベルで長時間維持させることができる。
（２）酸素圧力及び酸素濃度を長時間維持させることができるので、酸素缶４０を必ずしも持ち運ばなくともよい。
（３）酸素缶４０からの純度略９５％の酸素を酸素供給室１１内に供給し、前記酸素供給室１１内の大気と混合させて、圧力抜き弁３３で設定した圧力になるようにすることにより、酸素供給室１１内の酸素圧力及び酸素濃度を狙いのレベルにすることができる。これにより使用しようとする生餌に応じて、圧力抜き弁３３を調整することによって好ましい酸素濃度にすることができる。
（４）酸素供給室１１内の酸素を空気ポンプ５０で吸い込み、水中に噴出する。これにより、生餌に適合させた酸素濃度の酸素を水中に供給することができる。
（５）長尺状のエアストーン５３、及び多数の孔を穿孔した面と細かい格子状の面を有する泡誘導板５４を配設したことにより、酸素を水中に広範囲に対流させて行き渡らせることができる。これにより生餌を長時間弱らないようにすることができる。また、細かい格子に特にエビが掴まってくれるので、床面がツルツルの場合に比較してエビが弱らないという効果がある。
（６）波消し浮動板６０を配設したことにより、水の搖動を抑制することができ、これにより、生餌が強制的に水の搖動により流されることがなくなるので、生餌が弱りにくいという効果がある。
（７）中蓋１９の裏面に袋体７０を設け、前記袋体７０内に保冷剤７１を内挿した形態にしたことと、及び上蓋１６を含むボックス本体１０に断熱材を使用したことにより、ボックス本体１０内の温度上昇を抑制させることができる。これにより、生餌を長時間弱らないようにすることができる。
（８）逆流防止弁３２をボール３２ａとバネ３２ｂを有する構成とし、酸素チューブ４１の先端部に長穴部４１ａを形成し、リング４２で巻回したので、当該先端部を破壊することなく、長穴部４１ａから酸素を確実に供給することができる。これによっても、生餌を新鮮に保つことができる。
（９）釣りを終えた後、網部材１４に酸素缶４０や小物を入れて持ち帰ることができる。また、この網部材１４は、ゴミ入れとしても使用することができる。従って、使用性に優れる。
【００６８】
本願発明の使用方法を説明する。まず水Ｗを仕切板２０の下端部より上方で波消し浮動板６０の下面に接する深さになるまで水Ｗを、餌入れキャップ３１を取り外した酸素供給室１１、又は中蓋１９及び波消し浮動板６０を開放した餌取出し室１２から注水する。そして、保冷剤７１を中蓋１９に取り付けた袋体７０内に内挿し、波消し浮動板６０及び中蓋１９を閉じ餌取出し室１２側を密閉にする。
【００６９】
餌入れキャップ３１を取り外したときに現れる穴から、生餌を酸素供給室１１側に入れる。
【００７０】
次に、螺着式で取り付ける餌入れキャップ３１を取り付け酸素供給室１１側も密閉にする。酸素缶４０に圧入されていた酸素をボックス本体１０内に注入するため、酸素チューブ４１の先端部である長穴部４１ａを逆流防止弁３２のボール３２ａに押し付けて、その状態を維持したままキャップノズル４３を操作する。この操作を圧力抜き弁３３から酸素が放出されるまで継続する。これにより、酸素供給室１１内には設定された圧力を有する酸素が封入される。
【００７１】
次に、空気ポンプ５０をスイッチ（図なし）で作動させる。これによって、酸素供給室１１内の酸素が第一チューブ５１によって空気ポンプ５０側に吸い込まれ、第二チューブ５２によってエアストーン５３に流出され、エアストーン５３から酸素が水中に噴出される。
【００７２】
噴出された酸素は泡誘導板５４によってボックス本体１０内の水Ｗ内に対流を生じさせ、酸素の泡が水Ｗ全域に行き渡る。空気ポンプ５０を作動させている間は、酸素の循環が繰り返される。これにより水Ｗ内の酸素濃度を維持できる。
【００７３】
ボックス本体１０の中部及び上部は仕切板２０で２分割されているが、ボックス本体１０の下部は仕切板２０が設置されていないので、生餌は水Ｗ内を酸素供給室１１側及び餌取出し室１２側に関係なく自由に回遊する。
【００７４】
生餌を取り出すときは、餌取出し室１２側の上蓋１６を開放し、中蓋１９を開放し、波消し浮動板６０を開放する。このとき把手６０ａを留め具１３に係止させて波消し浮動板６０の開放状態を維持させる。
【００７５】
そして、網を餌取出し室１２に差し込み、生餌を掬い取る。生餌を必要数取った後は、波消し浮動板６０、中蓋１９、上蓋１６を閉じ、餌取出し室１２側を密閉する。
【符号の説明】
【００７６】
１        生餌用クーラーセット
１０      ボックス本体
１０ａ    水抜き栓
１１      酸素供給室
１２      餌取出し室
１３      留め具
１４      網部材
１５      肩掛けベルト
１６      上蓋
１７      パッチン錠
１８      チューブ穴
１９      中蓋
２０      仕切板
２０ａ    開放部
３０      密閉板
３１      餌入れキャップ
３２      逆流防止弁
３２ａ    ボール
３２ｂ    バネ
３２ｃ    弁室
３２ｄ    酸素流出孔
３３      圧力抜き弁
３３ａ    圧力室
３３ｂ    弁
３３ｃ    圧力排出穴
３３ｄ    圧力調整ツマミ
３３e    バネ
３４      酸素注入口
４０      酸素缶
４１      酸素チューブ
４１ａ    長穴部
４２      リング
４３      キャップノズル
５０      空気ポンプ
５１      第一チューブ
５２      第二チューブ
５３      エアストーン
５４      泡誘導板
５４ａ    小穴
５４ｂ    中穴
５４ｃ    大穴
５４ｄ    メッシュ部
６０      波消し浮動板
６０ａ    把手
７０      袋体部
７１      保冷剤
Ｗ        水
【手続補正２】
【補正対象書類名】特許請求の範囲
【補正対象項目名】全文
【補正方法】変更
【補正の内容】
【特許請求の範囲】
【請求項１】
魚釣り用の生餌を移送するためのクーラーセットであって、底面近傍に水を蓄える断熱性箱状のボックス本体と、平面視で前記ボックス本体の略中央部に、正面視で底面から前記ボックス本体の高さの１／４〜１／２のいずれかの位置まで離隔させて、前記位置より上部の前記ボックス本体内を、酸素供給室と餌取出し室とに二分するように垂直方向に配設した仕切板と、前記酸素供給室の上部に水平方向に設けられ、前記酸素供給室を密閉する密閉板と、前記密閉板の上に設けられ、前記酸素供給室に供給された酸素を前記ボックス本体底面近傍に蓄えられる水の中に供給する空気ポンプと、前記餌取出し室内における前記仕切板の下端部近傍に水平方向に設けられ上下方向で開閉可能な板状の波消し浮動板と、を含む構成要素からなることを特徴とする生餌用クーラーセット。
【請求項２】
一端が前記空気ポンプに連結され、他端が前記酸素供給室内に延設された短尺状の第一チューブと、一端が前記空気ポンプに連結され、他端が平面視で前記酸素供給室側の前記ボックス本体底面近傍まで延設された長尺状の第二チューブと、前記第二チューブの前記ボックス本体底面近傍まで延設された端部に接続され、平面視で前記酸素供給室側の前記ボックス本体底面上に載置されたエアストーンと、前記仕切板の下方であって前記エアストーンの上部に、かつ正面視で前記酸素供給室側を高く前記餌取出し室側を低く斜めに配設された、格子状のメッシュ及び／又は直径１〜５ｍｍの孔を複数設けた板状の泡誘導板と、を備えることを特徴とする請求項１に記載の生餌用クーラーセット。
【請求項３】
前記密閉板に穿孔し螺刻した餌入れ用の開口部に螺設する餌入れキャップに設けた、又は前記密閉板上に設けた、酸素注入口と、前記酸素供給室に供給された酸素の逆流を防止するために前記酸素注入口に連通した流路に配設した逆流防止弁と、前記酸素供給室が前記酸素の供給過多によって高圧になった際に、前記酸素を自動的に排出する圧力抜き弁と、を配設することを特徴とする請求項１または２に記載の生餌用クーラーセット。
【請求項４】
前記逆流防止弁が、酸素注入口側に配設されたボールと酸素流出側に配設されたバネとを含む構成であり、前記ボールに接する、構成部材ではない酸素缶からの酸素チューブの先端部の形態を、前記先端部の先端から酸素缶側に向けて少なくとも１つ以上の長穴部を設け、かつ前記先端部近傍に前記酸素チューブの外周壁面又は内周壁面に環状のリングを周設したことを特徴とする請求項３に記載の生餌用クーラーセット。
【請求項５】
上蓋を含むボックス本体に断熱材を使用し、かつボックス本体内に保冷剤７１を内設したことを特徴とする請求項１乃至４のいずれかに記載の生餌用クーラーセット。